(57)【要約】【目的】  オフセット印刷において、難溶性のリン酸化合物がインキローラ上へ堆積することを抑制し、このリン酸カルシウムに起因するローラストリッピングの発生を防止することを目的とする。【構成】  湿し水全量に対し、リン酸を０．００１重量％以上含有する湿し水を、湿し水循環装置に磁化処理装置を取り付けた印刷装置を用いて印刷することを特徴とするオフセット印刷方法、及び上記印刷方法を用いて印刷されたことを特徴とする印刷物。【特許請求の範囲】
【請求項１】
湿し水全量に対し、リン酸を０．００１重量％以上含有する湿し水を循環させた循環装置に磁化処理装置を取り付けた印刷装置を用いて印刷することを特徴とするオフセット印刷方法。
【請求項２】
請求項１記載の印刷方法を用いて印刷されたことを特徴とする印刷物。
【発明の詳細な説明】
【技術分野】
【０００１】
本発明は、磁化処理水を用いた、印刷機のローラストリッピング防止方法に関する。
【背景技術】
【０００２】
オフセット印刷は、画線部に対応する部分を感脂性面とし、非画線部に対応する部分を親水性面として印刷版（以下、版という）を用いて印刷を行う印刷方式である。即ち、インキを感脂性面に付着させ、湿し水を親水性面に付着させ、インキと湿し水との相互反発作用を利用して印刷する。このとき、版面非画線部上にある湿し水とインキローラにあるインキは、直接接することになり、インキローラ上のインキは、湿し水を含んだ状態で存在している。
【０００３】
オフセット印刷において、リン酸化合物を含んだ湿し水は、版の汚れ防止効果が高いことが知られている。一方、水道水、紙やインキにはカルシウムが含まれており、このカルシウムと湿し水に含まれるリン酸化合物とは、難溶性のリン酸カルシウムの沈殿を生じやすい。このリン酸カルシウムは、インキローラ上で堆積、吸着されると、元来親油性であるインキローラを親水化してしまい、インキローラに水が着きやすくなり、インキを受け付けにくくなり、その部分だけインキの膜厚が薄くなり、転移不良（以下、ローラストリッピング）が発生することがある。このような場合、インキローラ上に堆積、吸着しているリン酸カルシウムを薄い塩酸などで、可溶化させ除去することにより、解消することからも、ローラストリッピングの原因の一つであることが判る。
【０００４】
従って、オフセット印刷で版非画線部の汚れ防止に効果が高いリン酸化合物であるが、このようなローラストリッピングの発生原因となりうることから、湿し水中への添加はごく限られた量か、添加しないケースもある。
【０００５】
また、ローラ上に堆積するカルシウム化合物を除去するためにカルシウムの隠蔽効果に優れたＥＤＴＡなどのキレート剤を湿し水に添加するなどの措置が行われたり、特開２００１−１０５７６４号に見られるような、有機スルホン酸を含有する湿し水などが検討されてきた。
【特許文献１】特開２００１−１０５７６４号公報
【発明の開示】
【発明が解決しようとする課題】
【０００６】
本発明は、ローラストリッピングの原因となる難溶性のリン酸化合物の堆積を減少させることを課題とする。
【課題を解決するための手段】
【０００７】
発明者は、上記問題を解決すべく鋭意努力した結果、湿し水を磁化処理することで、水を活性化させ難溶解性のリン酸カルシウムの溶解性を高めることにより、インキローラに吸着・堆積するリン酸カルシウムの生成量を減少させ、ローラストリッピングの発生を抑えることを可能たらしめた。一方、汚れ防止効果に優れたリン酸化合物をこれまで以上に湿し水に添加することが可能となり、汚れ防止効果に優れた湿し水を製造することが可能となった。
【０００８】
即ち、本願発明は、湿し水全量に対し、リン酸を０．００１重量％以上含有する湿し水を循環させた循環装置に磁化処理装置を取り付けた印刷装置を用いて印刷することを特徴とするオフセット印刷方法に関する。
さらに、本願発明は、上記印刷方法を用いて印刷されたことを特徴とする印刷物に関する。
【発明の効果】
【０００９】
湿し水を磁化処理し、水を活性化することにより、ローラストリッピングの発生原因となる難溶性のリン酸カルシウムの溶解性をたかめ、ローラストリッピングの発生を抑制するものである。
【発明を実施するための最良の形態】
【００１０】
リン酸を含有する湿し水として、添加するリン酸の形態は、無機リン酸のみならず、ポリリン酸、フィチン酸および、これらのカルシウム以外のナトリウ塩、カリウム塩、マグネシウム、アンモニウム塩等の化合物を含有している湿し水をさす。添加量としては、使用原水のカルシウム含有量にも依存するが、従来のローラストリッピングが発生することを抑制するために、リン酸化合物の添加を抑制していた場合よりも多く、湿し水全量に対しリン酸成分として、０．００１重量％以上添加することができる。版非画線部の汚れ防止効果を高めるために、リン酸成分として、０．００１〜０．０５重量％添加することとができる。
【００１１】
その他の湿し水成分としては、湿し水の表面張力をより低下させるための補助成分として、必要に応じて水溶性の有機溶剤を添加することもできる。この水溶性有機溶剤としては、プロピレングリコール等の多価アルコール類、３−メチル−３−メトキシブタノール、モノまたはポリエチレングリコールのモノアルキルエーテル、モノまたはポリプロピレングリコールのモノアルキルエーテル等のエーテル類、アルキルピロリドン等があげられる。添加量は特に限定されるものではないが、湿し水全量に対し０．０１〜５重量％が好ましい。
【００１２】
さらに版面保護のために不感脂化剤として、アラビアゴム、デキストリン、アルギン酸ナトリウム、カルボキシメチルセルロース、カルボキシエチルセルロース、ヒドロキシメチルセルロース、ポリビニルピロリドン、ポリビニルアルコール、ポリアクリル酸、ポリアクリルアミド等の水溶性高分子化合物を添加してもよい。また、ｐＨ調整剤として硝酸、硫酸、クエン酸、酢酸、酒石酸等の無機酸や有機酸およびこれらのナトリウ塩、カリウム塩、マグネシウム塩等が添加できる。また、キレート剤、防錆剤、アニオン系、カチオン系、ノニオン系の界面活性剤、トリデカノール、グリセリン等の湿潤剤も添加できる。また、防腐剤として例えばサリチル酸、ホルマリン、フェノール系化合物、ベンズイミダゾールおよびベンゾチアゾール系化合物、有機窒素ハロゲン系化合物、有機窒素硫黄系化合物、有機硫黄ハロゲン系化合物、有機シアノハロゲン系化合物、メチレンビスチオシアネート、３─イソチアゾロン、ジチオール、ブロモ酢酸エステル類等と併用して使用することもできる。
【００１３】
一方、本発明において湿し水の磁化手段としては、湿し水タンクから各印刷ユニットに供給される循環路の途中に磁界を形成して湿し水を磁化すればよく、その磁化処理装置の構造、配置、位置等は限定されない。また磁石は、永久磁石、電磁石のどちらでもよい。さらに、望ましくは、水舟から湿し水循環装置への戻り水に対しての循環路にも磁化装置を取り付け、戻り水に対しても磁化処理することが効果的である。
【００１４】
[実施例]
リン酸カルシウム（第３リン酸カルシウム）を50mg / 500 ml の精製水に混ぜる。リン酸カルシウムは水に不溶であり、この量でも、完全に溶解はしない。一方の容器（Ｂ）は４日間静置。他方の容器（Ａ）は、強い磁場にタイゴンチューブを通し、ロータリーポンプで吸い上げ、またプラスチック容器に戻る装置を組み立て、４日間連続してポンプを運転させた。４日後、それぞれ濾紙（ＡＤＶＡＮＴＥＣ  ５Ａ）を用い、濾過液をカ゛ラス容器に集め、それぞれＡ、Ｂとして、水溶液に含まれるカルシウムとリン酸のイオン定量を日本検査株式会社東京理化学試験所にて、以下の方法にて各イオンを定量分析した。
カルシウムイオン：ＩＣＰ発光分析法
リン酸イオン：モリブデン青（アスコルビンサン還元）吸光法
結果    （mg/リットル）        カルシウムイオン          リン酸イオン    
Ａ（磁化処理）              ２.５３                        ４．６６    
Ｂ（処理無し)               １.６６                         ３.１２
Ｂに比べ、Ａから検出されたイオンは、リン酸およびカルシウム共に１．５倍となっており、磁化処理によるリン酸カルシウムの可溶化の効果が確認された。